(57)【要約】【課題】トイレブラシを使用後その先端部を瞬時に乾燥し、絶えず衛生的に保管できるトイレブラシドライヤーを提供することにある。【解決手段】本発明は、トイレブラシ１の保管室９に、ドライヤー４を配置した乾燥室８を併設することにより、ブラシの先１−１を常に乾いた状態に保つ。また、トイレブラシケース本体２下部に前記トイレブラシ１からの水滴を外部に取り出せるような水滴溜用引出５を設けたことで、ケース２内部の水溜りも防止する。【選択図】  図１
2004305684.tif 000002
【特許請求の範囲】
【請求項１】
トイレブラシを保管する保管室とドライヤーを配置する乾燥室とを備えたトイレブラシケース本体と、前記トイレブラシケース本体下部に前記トイレブラシからの水滴を外部に取り出すことができる引出を設けたトイレブラシドライヤー。
【請求項２】
ケース本体の前面ケースカバーを取り外し、ケース内部の清掃を可能とした請求項１記載のトイレブラシドライヤー。
【請求項３】
ケース全体の材質を抗菌素材プラスチックとして、無臭でカビが発生し難い請求項１記載のトイレブラシドライヤー。
【請求項４】
ドライヤー機能は、ブラシ挿入後センサーからの信号によりタイマーが作動し、ヒーターおよびモーターに一定時間通電することによって瞬時にブラシの乾燥を可能とした請求項１記載のトイレブラシドライヤー。
【発明の詳細な説明】
【発明の属する技術分野】
本発明は、一般家庭用の衛生的利便性を図ったトイレブラシドライヤーに関する。
【従来の技術】
従来、トイレブラシ用ケースは保管室のみで、使用後のブラシの先は濡れたままで保管されている。このため、カビが生じ悪臭を発して極めて不衛生的である。
【発明が解決しようとする課題】
以上に述べた従来のトイレブラシの問題点は、使用後のトイレブラシの先が濡れていて不衛生的であることにある。
本発明は、このような従来有していた問題を解決しようとするものであり、これらトイレブラシを瞬時に自動乾燥させ常時衛生的なトイレブラシの保管を実現することが目的である。
【課題を解決するための手段】
本発明は、トイレブラシの保管室に、ドライヤーを配置した乾燥室を併設することにより、使用後のブラシをまず乾燥室に挿入し、ここでブラシの先端を瞬時に乾燥する。
乾燥室で乾燥したトイレブラシを保管室に移し、ブラシを常に乾いた衛生的な状態に保つ。
また、前記トイレブラシケース本体下部に前記トイレブラシからの水滴を外部に取り出すことができる引出を設けたことで、ケース内部の水溜りも防止できる。
【発明の実施の形態】
以下、本発明の実施の形態として一実施例を図１〜図７に基づいて説明する。
図１は、本発明の製品全体構成を示す概念図である。
本図は、トイレブラシ１を収納し、乾燥および保管するためのケース本体２及びケースカバー３から構成されているトイレブラシドライヤーを示す。
したがって、図１の構造で、使用後のトイレブラシ１は濡れたままケース２上部から乾燥室８へ挿入し、ここでトイレブラシ１は瞬時に乾燥される。これは、トイレブラシ１の挿入を発光ダイオード１０−１及びフォトダイオード１０−２によって構成されるセンサーで検知し、ドライヤー４を作動させる。
発光ダイオード１０−１は常時光信号を発していてフォトダイオード１０−２によって受光している。トイレブラシ１が乾燥室８へ挿入されると発光ダイオード１０−１から発している光信号が遮られてフォトダイオード１０−２で受光できなくなる。光信号が受光できなくなるとセンサーコントローラに内蔵されているタイマーが作動し一定時間ドライヤー駆動信号７−１が出力される。
ドライヤーコントローラ６はドライヤー駆動信号７−１を受けてドライヤー４のＯＮ／ＯＦＦ制御を行う。
また、ドライヤー４が稼動中に、タイマーの停止を待たずにトイレブラシ１を乾燥室８から抜き取るとドライヤー４は停止する。
乾燥後のトイレブラシ１は、保管室９へ移動する。
図２は，トイレブラシケース本体２の内部構造を示す。本図は、ケース本体２の乾燥室８側面に内蔵したドライヤー４およびドライヤーコントローラー６、センサーコントローラー７を示す。これらの電源は、プラグ１１によって供給される家庭用電源を使用する。
乾燥のオートコントロールは、乾燥室８側面に設置した発光ダイオード１０−１及び対向する側面に設置したフォトダイオード１０−２によって構成されるセンサーを使用する。
また、ケース本体２の下部に水滴溜用引出５を配置し、ブラシ１の使用時の水滴を溜めておく。
これら、ケース本体２および引出５ともに、材質を抗菌素材プラスチックとして、無臭でカビが発生し難いものとする。
図３は，トイレブラシケースカバー３を示す。
本ケースカバー３も、ケース本体２と同様に、材質を抗菌素材プラスチックとして、無臭でカビが発生し難いものとする。
これらケースカバー３には、締付金具３−１および蝶番３−２を設けて開閉可能な構造とする。
図４は、トイレブラシケース２本体を上部から見た平面図で、乾燥室８にあってセンサーを構成している発光ダイオード１０−１及びフォトダイオード１０−２の配置を示す。
図５は、電気回路の結線図を示す。本図で、使用後のトイレブラシ１を乾燥室８に挿入すると発光ダイオード１０−１から発している光信号がトイレブラシ１によって遮断されるためフォトダイオード１０−２が受光しなくなる。その結果受光検知信号７−３が遮断されて、センサーコントローラ７内蔵のタイマーが作動開始しドライヤー駆動信号７−１が出力される。
ドライヤー駆動信号７−１を受けてドライヤーコントローラ６がドライヤー４を作動させる。
図６は，トイレブラシケース本体２の下部に設置した水滴溜用引出５を示す。本図は、引出ケース５−１と取っ手５−２から構成され、内部に水滴を集め易くするための逆円錐台の形をした受け皿５−３を設ける。
本水滴溜用引出５も、ブラシケース本体２と同様に、材質を抗菌素材プラスチックとして、無臭でカビが発生し難いものとする。
図７は、トイレブラシ１の構造を示す。このブラシの先１−１は、取り外し可能で付け替えができるものである。
また、このトイレブラシの柄１−２には、ストッパー１−３を付けて保管時ブラシの先１−１を傷めないようにする。
これらトイレブラシ１全体も、ブラシケース本体２と同様に、材質を抗菌素材プラスチックとして、無臭でカビが発生し難いものとする。
【発明の効果】
上述したように本発明は、これらブラシを使用後その先端を瞬時に乾燥し、絶えず衛生的に保つことができるトイレブラシドライヤーを提供することにある。
【図面の簡単な説明】
【図１】本発明の一実施例を示すトイレブラシドライヤーの概念図
【図２】同トイレブラシケース本体の内部構造図
【図３】同トイレブラシケースカバーの外観図
【図４】同トイレブラシケース及びカバーの構造平面図
【図５】同トイレブラシドライヤーの電気制御系統図
【図６】同トイレブラシ下部の水滴溜用引出の構造図
【図７】同のトイレブラシ本体の構造図
【符号の説明】
１    トイレブラシ
１−１  ブラシの先
１−２  ブラシの柄
１−３  ブラシのストッパー
２    ケース
３    ケースカバー
３−１  締付金具
３−２  蝶番
４    ドライヤー
５    水滴溜用引出
５−１  引出ケース
５−２  引出取っ手
５−３  水滴溜用受け皿
６    ドライヤーコントローラー
７    センサーコントローラー
７−１  ドライヤー駆動信号
７−２  発光ダイオード駆動信号
７−３  受光検出信号
８    乾燥室
９    保管室
１０−１発光ダイオード
１０−２フォトダイオード
１１  電源プラグ
１２  空気吸入口
【図１】
2004305684.tif 000003
【図２】
2004305684.tif 000004
【図３】
2004305684.tif 000005
【図４】
2004305684.tif 000006
【図５】
2004305684.tif 000007
【図６】
2004305684.tif 000008
【図７】
2004305684.tif 000009